(57)【要約】【課題】パネルや液晶表示素子，液晶カバーの損傷を防止することができるようにする。【解決手段】液晶表示装置１の液晶カバー３では、周囲が枠部３ａで囲まれたカバー面３ｂに、液晶表示素子４が固定され、さらに、この液晶表示素子４を覆うようにして、パネル５が取り付けられている。このカバー面３ｂでの周辺部には、各辺毎に複数個ずつ磁石８が設けられており、また、パネル５の周囲には、枠状の吸着用フレーム９（図２）が固定されている。パネル５は、この吸着用フレーム９が液晶カバー３の磁石８に吸着されることにより、液晶カバー３のカバー面３ｂに取り付けられる。【選択図】図１
2007003698.tif 000002
【特許請求の範囲】
【請求項１】
シート状の液晶表示素子が設けられた液晶カバーに、該液晶表示素子を覆うようにパネルが取り付けられた表示装置であって、
該液晶カバーの周辺部に磁石が設けられ、
該パネルが該磁石に吸着されることにより、該液晶カバーに取り付けられていることを特徴とした液晶表示装置。
【請求項２】
請求項１において、
前記液晶カバーの周辺部の枠部、もしくは前記パネルの周辺部に、前記液晶カバーから前記パネルを取り外すための切欠部を設けたことを特徴とした液晶表示装置。
【請求項３】
請求項１または２において、
前記液晶カバーと前記パネルとに、前記パネルの前記液晶カバーでの位置決めのための手段を設けたことを特徴とする液晶表示装置。
【発明の詳細な説明】
【技術分野】
【０００１】
本発明は、ノート型ＰＣ（Personal Computer：パソコン）に係り、特に、その液晶表示装置の表示画面でのパネル取付け構造に関する。
【背景技術】
【０００２】
ノート型ＰＣの液晶表示装置の表示画面には、その汚れや傷等を防止するために、パネルが着脱可能に取り付けられている。
【０００３】
図７は従来の方法で表示画面にパネルを取り付けた液晶表示装置を備えたノート型ＰＣの一具体例を示す斜視図であって、１は液晶表示装置、２は装置本体、３は液晶カバー、３ａは枠部、３ｂはカバー面、４は液晶表示素子、５はパネル、６はねじ、７はキーボードである。
【０００４】
また、図８は図７における液晶表示装置の分解斜視図であって、３ｂはカバー面、６ａはねじ孔、６ｂはねじ通し孔であり、図７に対応する部分には同一符号を付けている。
【０００５】
さらに、図９は図７に示すノート型ＰＣが閉じている状態を示す図であって、同図（ａ）は上面図、同図（ｂ）は同図（ａ）の分断線Ｋ−Ｋに沿う断面図、同図（ｃ）は同図（ｂ）のＬ部分の拡大図であり、図７〜図９に対応する部分には同一符号を付けている。
【０００６】
図７において、ノート型ＰＣは、液晶表示装置１と装置本体２とが重ね合わせ（折り畳み）可能に結合された構成をなしており、装置本体２には、キーボード７や図示しないその他の操作部材などが設けられている。
【０００７】
液晶表示装置１は、液晶表示素子４とパネル５とが設けられた液晶カバー３を備えている。液晶カバー３は、周囲に枠部３ａが設けられてカバー面３ｂを有するものであって、図８に示すように、このカバー面３ｂに液晶表示素子４が固定され、この液晶表示素子４を覆うようにして、パネル５が取り付けられている。このカバー面３ｂの４隅にねじ孔６ａが設けられ、これらねじ孔６ａに対向して、パネル５の４隅にも、ねじ通し孔６ｂが設けられている。
【０００８】
パネル５を液晶カバー３のカバー面３ｂに取り付ける場合には、パネル５のねじ通し孔６ｂを夫々カバー面３ｂの該当するねじ孔６ａに一致させてパネル５を液晶表示素子４に重ね合わせ、しかる後、各ねじ通し孔６ｂからねじ孔６ａにねじ６を差し込んで締め付けるようにする。
【０００９】
このようにして、図７，図９に示すように、パネル５が液晶カバー３に固定される。
【００１０】
なお、ねじ６の代わりに、ピンを用いる場合もある（例えば、特許文献１参照）。
【特許文献１】特開２００５−３７６１号公報
【発明の開示】
【発明が解決しようとする課題】
【００１１】
上記特許文献１に記載のノート型ＰＣの液晶表示装置では、液晶表示素子４による表示画面の汚れ，傷などを防止するために、または、装飾用として、この表示画面に着脱可能にパネル５が取り付けられる。この場合、パネル５はその四隅がねじ６あるいはピンなどによって固定されているため、液晶表示装置１を装置本体２に重なるように折り畳む場合、パネル５にたわみが生じ、装置本体２のキーボード７や電源ボタン，表示用ランプ，タッチパッドなどの実装物に突き当たり、パネル５に傷が付く場合がある。かかる傷は、タッチ型ＰＣの使用時、液晶表示装置の表示画面で非常に目に付き易いものであり、表示内容が見え難いものとなって、表示装置としての機能が著しく損なわれる。
【００１２】
また、装置本体２に重なって閉じている液晶表示装置１を開くときには、表示カバー３のパネル５側に指先をひっかけ、力を加えて開くようにする。この場合、液晶カバー３の周囲に設けられている枠の幅は非常に狭いため、指先がパネル５の部分に当る場合があり、このため、パネル５に力が加わることになる。かかる力は、パネル５がねじ６もしくはピンで完全に固定されているため、逃げ場がなく、直接パネル５や液晶表示素子４，液晶カバー３に作用して、これらに割れや歪みなどの損傷を生じさせることになる。
【００１３】
しかも、取り外しや取り付けに手間のかかる作業が強いられることになる。
【００１４】
本発明の目的は、かかる問題を解消し、パネルや液晶表示素子，液晶カバーの損傷を防止することができるようにした液晶表示装置を提供することにある。
【００１５】
本発明の他の目的は、簡単な作業でもってパネルの取り外しや取り付けを行なうことができるようにした液晶表示装置を提供することにある。
【課題を解決するための手段】
【００１６】
上記目的を達成するために、本発明は、シート状の液晶表示素子が設けられた液晶カバーに、液晶表示素子を覆うようにパネルが取り付けられた表示装置であって、液晶カバーの周辺部に磁石が設けられ、パネルが該磁石に吸着されることにより、液晶カバーに取り付けられていることを特徴とするものである。
【００１７】
また、本発明は、液晶カバーの周辺部の枠部、もしくはパネルの周辺部に、液晶カバーからパネルを取り外すための切欠部を設けたことを特徴とするものである。
【００１８】
さらに、本発明は、液晶カバーとパネルとに、パネルの液晶カバーでの位置決めのための手段を設けたことを特徴とする液晶表示装置。
【発明の効果】
【００１９】
本発明によると、パネル，液晶または液晶カバーの損傷を防ぐことができる。また、液晶カバーからのパネルの取り外しが容易となる。さらに、パネルを液晶カバーに取り付けるに際し、このパネルの位置決めが容易となる。
【発明を実施するための最良の形態】
【００２０】
以下、本発明の実施形態を図面により説明する。
【００２１】
図１は本発明による液晶表示装置の第１の実施例を備えたノート型ＰＣを示す斜視図であって、８は磁石、９は吸着用フレームであり、図７，図８に対応する部分には同一符号を付けて重複する説明を省略する。
【００２２】
図２は図１に示す第１の実施形態を示す分解斜視図であって、図１に対応する部分には同一符号を付けている。
【００２３】
図１において、液晶表示装置１の液晶カバー３には、その周辺の枠部３ａの内側のカバー面３ｂに液晶表示素子４が設けられ、また、このカバー面３ｂでこの液晶表示素子４全体を覆うように、パネル５が取り付けられている。
【００２４】
図２に示すように、この液晶カバー３のカバー面３ｂの周辺の液晶表示素子４の周りには、複数個の磁石８が設けられている。より詳細には、カバー面３ｂの各辺に夫々複数個以上ずつ磁石８が設けられている（ここでは、これら各辺に３個ずつ設けられているものとしている）。これにより、カバー面３ｂの各辺毎に、その辺の長さよりも短い間隔で磁石８が設けられていることになる。また、パネル５の周辺には、金属材料からなる枠状の吸着用フレーム９が接着されている。その接着には、接着剤や両面テープなどが用いられる。この吸着用フレーム９が液晶カバー３に設けられた磁石８に吸着されるようにして、パネル５が液晶カバー３に取り付けられる。
【００２５】
パネル５がこのようにして液晶カバー３に取り付けられるものであるから、パネル５の辺部に指先を掛け、磁石８の吸着力以上の力でパネル５を引っ張ることにより、パネル５を液晶カバー３から容易に取り外すことができる。
【００２６】
図３（ａ）は液晶表示装置１を装置本体６に重ねてノート型ＰＣを閉じた状態にしたときの側面図、図３（ｂ）は図３（ａ）の分断線Ａ−Ａに沿う（即ち、磁石８の配列方向に沿う）断面図、図３（ｃ）は図３（ｂ）の一部Ｂを拡大して示す断面図であって、３ｃは窪み部であり、図１，図２に対応する部分には同一符号を付けている。
【００２７】
図３（ｂ）において、磁石８は、カバー面３ｂの辺に沿って間隔Ｃで配列されている。各辺での磁石８の間隔Ｃや位置はパネル５の大きさや重さ，液晶カバーの強度，液晶表示装置４との間の距離などを考慮して設定される。通常、磁石８の間隔Ｃは、カバー面３ｂの左右辺と上下辺とで異なっても、夫々の辺で均等に設定されるが、上記の点を考慮することにより、必ずしも均等な間隔Ｃである必要はない。このように、磁石８の間隔を設定することにより、各辺に使用される磁石８の個数が決まる。
【００２８】
また、パネル５は透明なシートであり、吸着用フレーム９も透明な金属からなる場合には、パネル５が液晶カバー３に取り付けられても、かかるパネル５及び吸着用フレーム９を通して磁石８が見えることになる。このような場合、磁石８によって見栄えが損なわれないように、この点を考慮して磁石８の位置や間隔Ｃを設定することができる。
【００２９】
あるいはまた、パネル５に接着された吸着用フレーム９や磁石８が目立って、液晶表示装置１の表示画面の見栄えを損なうようである場合には、パネル５の表面もしくは裏面の吸着用フレーム９が接着する部分に印刷，塗装などを施し、吸着用フレーム９や磁石８が操作者に直接見えないようにすることもできる。
【００３０】
図３（ｃ）に示すように、磁石８は液晶カバー３の枠部３ａよりも内側のカバー面３ｂに形成された窪み部３ｃ内に設けられており、これにパネル５に接着された吸着用フレーム９が吸着された状態では、この吸着用フレーム９が液晶カバー３のカバー面３ｂに当接するようにして、パネル５がこのカバー面３ｂに取り付けられている。
【００３１】
このようにして、パネル５の周辺部が液晶カバー３に設けられた磁石８に吸着されることにより、パネル５が液晶カバー３に取り付けられるものであるから、液晶カバー３が、図３（ａ）に示すように、装置本体２に重なって閉じた状態からこの液晶カバー３を開く場合、指先によってパネル５に力が加わっても、吸着用フレーム９が磁石８に吸着されたまま滑ることにより、この力を逃がすことができ、液晶カバー３や液晶表示素子４，パネル５のわれや歪みなどの損傷を防止することが可能となる。
【００３２】
また、カバー面３ｂでの磁石８の位置や間隔Ｃを、上記の点などを考慮して、設定されるものであるから、パネル５にたわみが減少するように、かかる磁石８の個数や位置，間隔Ｃを設定することができる。
【００３３】
図４はノート型ＰＣに用いる本発明による液晶表示装置の第２の実施例を示す分解斜視図であって、１０は磁石であり、図１，図２に対応する部分には同一符号をつけて重複する説明を省略する。
【００３４】
同図において、この第２の実施形態は、図１，図２での切片状の磁石８の代わりに、枠状の磁石１０を用いたものである。この磁石１０は吸着用フレーム９と略同一形状で略同一大きさをなすものであり、液晶カバー３のカバー面３ｂでの液晶表示素子４の周りに固定して取り付けられている。パネル５は、これに接着されている吸着用フレーム９をこの磁石１０に吸着されることにより、液晶カバー３のカバー面３ｂに取り付けられる。
【００３５】
このようにして、この第２の実施形態では、パネル５がその全周にわたってカバー面３ｂに保持されることになり、上記第１の実施形態と同様、指先によってパネル５に力が加わっても、吸着用フレーム９が磁石１０に吸着されたまま滑ることにより、この力を逃がすことができ、液晶カバー３や液晶表示素子４，パネル５のわれや歪みなどの損傷を防止することが可能となるという効果が得られるとともに、パネル５のたわみをさらに効率良く減少させることができる。
【００３６】
図５（ａ）はノート型ＰＣに用いる本発明による液晶表示装置の第３の実施形態の全体を示す斜視図、同図（ｂ）は同図（ａ）のＤ部分の拡大図、同図（ｃ）は正面図、同図（ｄ）は同図（ｃ）の分断線Ｅ−Ｅに沿う縦断面図、同図（ｅ）は同図（ｄ）のＦ部分の拡大図であって、１１は切欠部であり、前出図面に対応する部分には同一符号をつけて重複する説明を省略する。
【００３７】
図５（ａ）〜（ｅ）において、液晶カバー３の枠部３ａの一箇所に（ここでは、上辺部のやや右側に）、指先が入る程度の切欠部１１が設けられている。この切欠部１１は、パネル５を液晶カバー３から取り外すときに指先を差し込むものであり、この切欠部１１に差し込んだ指先をパネル５に引っ掛け、手前に引くことにより、パネル５を簡単に取り外すことができる。
【００３８】
これ以外の構成は、上記第１，第２の実施形態と同様である。
【００３９】
図６（ａ）はノート型ＰＣに用いる本発明による液晶表示装置の第４の実施形態の全体を示す分解斜視図、同図（ｂ）は同図（ａ）のＧ部分の拡大図、同図（ｃ）は同図（ａ）のＨ部分の拡大図、、同図（ｄ）は、同図（ａ）において、液晶カバー３にパネル５が取り付けられた状態を示す正面図、同図（ｅ）は同図（ｄ）の分断線Ｉ−Ｉに沿う縦断面図、同図（ｆ），（ｇ）は同図（ｅ）のＪ部分を拡大して示す図であって、３ｃは段部、５ａは下端面、１２は位置決め用の窪み部、１３は位置決め用の突起部、１４は位置決め用部品であり、前出図面に対応する部分には同一符号をつけて重複する説明を省略する。
【００４０】
この第４の実施形態は、パネル５を液晶カバー３に取り付けるときに、一定の位置に位置決めすることができるようにしたものである。
【００４１】
図６（ａ）において、この第４の実施形態においても、先の各実施形態と同様、パネル５が液晶カバー３のカバー面３ｂに磁石によって吸着されて取り付けられるものであるが、ここでは、磁石を図示していない。
【００４２】
パネル５の下端面５ａのＧ部分には、図（ｂ）に示すように、１つの位置決め用の窪み部１２が設けられており、これに対向するようにして、液晶カバー３のカバー面３ｂの下辺の枠部３ａとの段部３ｃのＨ部分に、図６（ｃ）に示すように、位置決めように突起部１３が設けられている。カバー面３ｂを液晶カバー３に取り付ける場合には、まず、パネル５の下端面５ａに設けられた窪み部１２に液晶カバー３のカバー面３ｂと枠部３ａとの間の段部３ｃに設けられた突起部１３を差し込んで、パネル５の位置決めのための取り付けを行ない、しかる後、パネル５を液晶カバー３のカバー面３ｂに押しつけて磁石に吸着固定させる。これにより、図６（ｆ）に示すように、パネル５の窪み部１２に液晶カバー３の段部３ｃの突起部１３が嵌まり込んだ状態で、図６（ｄ），（ｅ）に示すように、パネル５が液晶カバー３に取り付けられる。
【００４３】
ここで、パネル５での窪み部１２と液晶パネル３での突起部とは、パネル５が液晶パネル３のカバー面３ｂに上下・左右釣合いが採れた状態に取り付けられるように、その位置が設定されている。これにより、パネル５を液晶カバー３から取り外しても、これを取り付けるときには、パネル５の液晶カバー３に対する位置関係を常に一定に設定することができ、パネル５の位置決めが容易となる。
【００４４】
なお、パネル５の窪み部１２は、液晶カバー３の段部３ｃの突起部１３の高さよりも深くすることにより、パネル５を液晶カバー３に取り付けたとき、このパネル５の下端面５ａが液晶カバー３の下辺側の段部３ｃに均一に接するようにし、パネル５が傾かないようにする。
【００４５】
また、ここでは、パネル５に窪み部１２を設けたが、図６（ｇ）に示すように、窪み部を有する位置決め用部品１４を取り付け、これを窪み部１２の代わりとしてもよい。この場合も、パネル５の下端面の他の任意の位置に同様の部品を取り付け、これにより、パネル５が傾かないようにすることもできる。
【００４６】
さらに、この第４の実施形態では、パネル５に窪み部１２あるいは窪み部を有する位置決め用部品１４を、液晶カバー３の段部３ｃに突起部１３を夫々設けたが、逆に、パネル５に突起部あるいは突起部を有する位置決め用部品を、液晶カバー３の段部３ｃに窪み部を夫々設けるようにしてもよい。
【００４７】
ところで、長期間パソコンを使っていると、パネル５に塵，油分などによって汚れが付着する。パネル５に汚れがあると、表示内容が見難くなるので、清掃する必要が出てくる。パネル５の使用者側（外側）の面は直接清掃することができるが、パネル５の液晶表示素子４側（内側）の面は、パネル５を取り外して清掃する必要があるため、手間が掛かる。そこで、上記各実施形態において、パネル５のカバー面側の面に光触媒を塗布し、光触媒のセルフクリーニング機能（自浄機能）でもって紫外線が当たることで汚れが落ちるようにする。これにより、パネル５を取り外す回数を減らすことができる。
【００４８】
以上、本発明の実施形態について説明したが、本発明はかかる実施形態にのみ限定されるものではない。
【００４９】
例えば、液晶カバー３に吸着用フレーム９を設け、パネル５に磁石を設けるようにしてもよいし、また、例えば、図５に示す切欠部１１も、パネル５に設けるようにしてもよい。
【００５０】
また、磁石２の形状や配置パターン、パネル５の種類，吸着用フレームの材質，形状及び配置パターンについても、特に、限定されるものではないし、切欠部１１の形状，配置，配置パターンや、図６に示す窪み部１２，突起部１３，位置決め要部品１４の材質，形状，配置，配置パターンも、特に限定されるものではない。
【図面の簡単な説明】
【００５１】
【図１】本発明による液晶表示装置を備えたノート型ＰＣの一具体例の開いた状態を示す斜視図である。
【図２】本発明による液晶表示装置の第１の実施例を示す分解斜視図である。
【図３】図１に示すノート型ＰＣの閉じた状態の各部を示す図である。
【図４】本発明による液晶表示装置の第２の実施形態の全体を示す図である。
【図５】本発明による液晶表示装置の第３の実施形態の全体を示す図である。
【図６】本発明による液晶表示装置の第４の実施形態の全体を示す図である。
【図７】従来の液晶表示装置の一例を備えたノート型ＰＣを示す斜視図である。
【図８】図７における液晶表示装置の分解斜視図である。
【図９】図７に示すノート型ＰＣが閉じている状態を示す図である。
【符号の説明】
【００５２】
１  液晶表示装置
２  装置本体
３  液晶カバー
３ａ  枠部
３ｂ  カバー面
４  液晶表示素子
５  パネル
７  キーボード
８  磁石
９  吸着用フレーム
１０  磁石
１１  切欠部
３ｃ  段部
５ａ  下端面
１２  位置決め用の窪み部
１３  位置決め用の突起部
１４  位置決め用部品
【図１】
2007003698.tif 000003
【図２】
2007003698.tif 000004
【図３】
2007003698.tif 000005
【図４】
2007003698.tif 000006
【図５】
2007003698.tif 000007
【図６】
2007003698.tif 000008
【図７】
2007003698.tif 000009
【図８】
2007003698.tif 000010
【図９】
2007003698.tif 000011